【手続補正書】
【提出日】平成24年6月13日(2012.6.13)
【手続補正１】
【補正対象書類名】明細書
【補正対象項目名】００１１
【補正方法】変更
【補正の内容】
【００１１】
この発明の撮像光学系は「物体側から順に、正または負のパワーを有する第１群と、開口絞りと、正のパワーを有する第２群を配して」なる。
請求項１０記載の撮像光学系は以下の点を特徴とする。  
即ち、無限遠から近距離物体へのフォーカシング時に、第１群が像側に移動し、第２群が物体側に移動する。
【手続補正２】
【補正対象書類名】明細書
【補正対象項目名】００１８
【補正方法】変更
【補正の内容】
【００１８】
上記請求項１０記載の撮像光学系は、第１群の焦点距離：ｆ１、全系の焦点距離：ｆが、条件：  
（１）  −０．２＜  ｆ／ｆ１  ＜０．４    
を満足することが好ましい（請求項１１）。 
請求項１または２記載の撮像光学系は、無限遠物体フォーカシング時の開口絞りと第２群の間隔：Ｄ＿Ｓ２、無限遠物体フォーカシング時の第１群と開口絞りの間隔：Ｄ＿１Ｓが、条件：  
（２）  ０．３＜  Ｄ＿Ｓ２／Ｄ＿１Ｓ  ＜２．０    
を満足することが好ましい（請求項１２）。
【手続補正３】
【補正対象書類名】明細書
【補正対象項目名】００１９
【補正方法】変更
【補正の内容】
【００１９】
請求項１０〜１２の任意の１に記載の撮像光学系は、無限遠物体へのフォーカシング時の第１群と第２群の間隔：Ｄ＿１２、全系の焦点距離：ｆが、条件：  
（３）  ０．５＜  Ｄ＿１２／ｆ  ＜２．５    
を満足することが好ましい（請求項１３）。  
請求項１０〜１３の任意の１に記載の撮像光学系は「第１群を、第１群の中で最も広い空気間隔を境として、少なくとも２枚の負レンズを有する第１Ｆ群と、少なくとも１枚の正レンズを有する第１Ｒ群とにより構成」するのが良い（請求項１４）。即ち、請求項１４においては、第１群内において、第１Ｆ群が物体側、第１Ｒ群が像側に配置され、第１Ｆ群と第１Ｒ群の間の空気間隔が、第１群中における空気間隔の中で最大である。
【手続補正４】
【補正対象書類名】明細書
【補正対象項目名】００２０
【補正方法】変更
【補正の内容】
【００２０】
また、請求項１０〜１４の任意の１に記載の撮像光学系は「第２群を、正のパワーを有する第２Ｆ群と、少なくとも１枚の非球面レンズを有する第２Ｒ群とにより構成」するのが良い（請求項１５）。
【手続補正５】
【補正対象書類名】明細書
【補正対象項目名】００２１
【補正方法】変更
【補正の内容】
【００２１】
請求項１０〜１５の任意の１に記載の撮像光学系は、近距離物体へのフォーカシングに際して、開口絞りを固定とすることが好ましい（請求項１６）。
【手続補正６】
【補正対象書類名】明細書
【補正対象項目名】００２２
【補正方法】変更
【補正の内容】
【００２２】
請求項１０〜１６の任意の１に記載の撮像光学系の第１群は「正のパワー」を持つこともできるし（請求項１７）、「負のパワー」を持つこともできる（請求項１８）。
【手続補正７】
【補正対象書類名】明細書
【補正対象項目名】００２３
【補正方法】変更
【補正の内容】
【００２３】
請求項１記載の撮像光学系は、レンズ構成としては、請求項１０の撮像光学系と同様、物体側から順に、正または負のパワーを有する第１群と、開口絞りと、正のパワーを有する第２群を配してなるが、フォーカシングの態様が請求項１のものとは異なり、無限遠から近距離物体へのフォーカシング時に「第２群が物体側に移動」する。
【手続補正８】
【補正対象書類名】明細書
【補正対象項目名】００２４
【補正方法】変更
【補正の内容】
【００２４】
請求項１記載の撮像光学系における第１群は「第１群の中で最も広い空気間隔を境として、少なくとも２枚の負レンズを有する第１Ｆ群と、少なくとも１枚の正レンズを有する第１Ｒ群」とにより、第２群は「物体側から順に、第１正レンズ、第１負レンズ、第２負レンズ、第２正レンズを配した第２Ｆ群と、少なくとも１枚の非球面レンズを有する第２Ｒ群」とにより、それぞれ構成されている。  
上の説明において「第２群が物体側へ移動する」とは、第２群を構成する全レンズが物体側へ移動することを意味するが、これら「第２群を構成する全レンズ」の変位は、全レンズが「一体的」に、即ち、相互の相対的な位置関係を保って移動することもできるし、第２群を構成する個々のレンズが別個に移動することもできる。
【手続補正９】
【補正対象書類名】明細書
【補正対象項目名】００２５
【補正方法】変更
【補正の内容】
【００２５】
請求項１記載の撮像光学系は、第１群の焦点距離：ｆ１、全系の焦点距離：ｆが、条件：
（１）  −０．２＜  ｆ／ｆ１  ＜０．４    
を満足することが好ましい（請求項２）。
【手続補正１０】
【補正対象書類名】明細書
【補正対象項目名】００２６
【補正方法】変更
【補正の内容】
【００２６】
請求項１または２記載の撮像光学系は、無限遠物体フォーカシング時の開口絞りと第２群の間隔：Ｄ＿Ｓ２、無限遠物体フォーカシング時の第１群と開口絞りの間隔：Ｄ＿１Ｓが、条件：  
（２）    ０．３＜  Ｄ＿Ｓ２／Ｄ＿１Ｓ    ＜２．０    
を満足することが好ましい（請求項３）。
【手続補正１１】
【補正対象書類名】明細書
【補正対象項目名】００２７
【補正方法】変更
【補正の内容】
【００２７】
請求項１〜３の任意の１に記載の撮像光学系は、無限遠物体フォーカシング時の第１群と第２群の間隔：Ｄ＿１２、全系の焦点距離：ｆが、条件：  
（３）０．５＜  Ｄ＿１２／ｆ  ＜２．５  
を満足することが好ましい（請求項４）。
【手続補正１２】
【補正対象書類名】明細書
【補正対象項目名】００２８
【補正方法】変更
【補正の内容】
【００２８】
そして、請求項１〜４の任意の１に記載の撮像光学系は、無限遠から近距離物体へのフォーカシングに際して「第２Ｆ群と第２Ｒ群の間隔が短縮する」構成とすることができる（請求項５）。  
即ち、無限遠から近距離物体へのフォーカシングに際して「第２群は物体側へ移動」するのであるが、請求項５記載の撮像光学系においては、第２Ｆ群と第２Ｒ群とは、群間隔を短縮させつつ物体側ヘ移動する。従って、このときの移動速さは、第２Ｒ群の方が、第２Ｆ群よりも速い。従って「第２Ｆ群と第２Ｒ群の間隔」は無限遠へのフォーカシング状態よりも短くなる。
【手続補正１３】
【補正対象書類名】明細書
【補正対象項目名】００２９
【補正方法】変更
【補正の内容】
【００２９】
請求項１〜５の任意の１に記載の撮像光学系は、第２Ｒ群が１枚の非球面レンズで構成されていることができ（請求項６）、また、請求項１〜６の任意の１に記載の撮像光学系は、近距離物体へのフォーカシングに際して「開口絞りが固定」であることが好ましい（請求項７）。
【手続補正１４】
【補正対象書類名】明細書
【補正対象項目名】００３０
【補正方法】変更
【補正の内容】
【００３０】
請求項１〜７の任意の１に記載の撮像光学系における第１群は「正のパワー」を持つこともできるし（請求項８）、「負のパワー」を持つこともできる（請求項９）。
【手続補正１５】
【補正対象書類名】明細書
【補正対象項目名】００３４
【補正方法】変更
【補正の内容】
【００３４】
この発明の撮像光学系を構成する第１群、第２群のうちの第１群は、「第２群に付加したワイドコンバータのような役割」を果たしていると考えられる。  
上記請求項１や請求項１４のように、第１群を「物体側から負の屈折力（第１Ｆ群）、正の屈折力（第１Ｒ群）を順に配し、これら第１Ｆ群と第１Ｒ群の間隔を比較的大きく取る」構成とすることにより、十分な画角の確保と球面収差を始めとする各種収差の補正の両立が可能である。
【手続補正１６】
【補正対象書類名】明細書
【補正対象項目名】００３５
【補正方法】変更
【補正の内容】
【００３５】
請求項１４、１５や請求項１の構成では「第１Ｒ群が、開口絞りを介して第２群の第２Ｆ群と対峙する」ので、第１Ｒ群と第２Ｆ群の双方が持つ正の屈折力相互のバランスにより、コマ収差をコントロールすることもできる。
【手続補正１７】
【補正対象書類名】明細書
【補正対象項目名】００３６
【補正方法】変更
【補正の内容】
【００３６】
上記の如く、第１群が「第１Ｆ群と第１Ｒ群」により構成され、第２群が「第２Ｆ群と第２Ｒ群」で構成されるレンズ構成において、第２Ｆ群は、撮像光学系における「主要な結像作用」を担い、収差補正上も「最も重要なレンズ群」である。
請求項１の撮像光学系では、第２Ｆ群の屈折力配置として正・負・正の所謂トリプレット型を基本とし、その中央の負の屈折力を２分し「正・負・負・正の４枚構成」としている。  
勿論、請求項１０〜１８の任意の１に記載の撮像装置においても、後述の実施例の如く、第２Ｆ群の構成を、上記の如く「正・負・負・正の４枚構成」とすることができる。
【手続補正１８】
【補正対象書類名】明細書
【補正対象項目名】００３９
【補正方法】変更
【補正の内容】
【００３９】
第２Ｒ群には「収差のバランス取りと射出瞳距離のコントロール」の両機能を付与できるが、第２Ｒ群に「正の屈折力」を持たせれば、射出瞳距離の確保に効果がある。しかし、射出瞳距離が短くても良い場合には、第２Ｒ群に負の屈折力を持たせてレンズ全長の短縮に寄与させることも可能である。  
また、請求項１５や請求項１のように、第２Ｒ群に非球面を設けることによって主としてコマ収差をより良好に補正することが可能となる。
【手続補正１９】
【補正対象書類名】明細書
【補正対象項目名】００４０
【補正方法】変更
【補正の内容】
【００４０】
請求項１のレンズ構成の場合、一般に行なわれるリアフォーカス式のフォーカシングにより、第２群における「第２Ｒ群のみ」の移動でフォーカシングを行なうと、第２Ｒ群に含まれる非球面の影響により、像面湾曲が大きく発生し易いので、「第２群全体でフォーカシング」を行なって、かかる像面湾曲の発生を抑制するのである。
【手続補正２０】
【補正対象書類名】明細書
【補正対象項目名】００４１
【補正方法】変更
【補正の内容】
【００４１】
請求項５のように、無限遠から近距離物体へのフォーカシングに際して「第２Ｆ群と第２Ｒ群の間隔が短縮する」構成とすることにより、フォーカシングにより発生する球面収差を補正することが可能になる。  
この場合、近距離物体へのフォーカシングに伴い、第２Ｆ群と第２Ｒ群の移動は同一にならないが、第２Ｆ群と第２Ｒ群の間隔は、近距離物体へのフォーカシング時に連続的に変化しなくても良く、ある物体距離より近距離物体へのフォーカシング時に、第２Ｆ群の位置が切り替わるようにしてもよいし、あるモードを選択した場合にのみ、第２Ｆ群と第２Ｒ群の間隔が切り替わるようにしてもよい。  
勿論、請求項１０のように、近距離物体へのフォーカシング時に「第１群を像側に移動させる」ことと組み合わせることにより像面湾曲をより良好に補正できる。
【手続補正２１】
【補正対象書類名】明細書
【補正対象項目名】００４２
【補正方法】変更
【補正の内容】
【００４２】
第１群を第１Ｆ群と第１Ｒ群とで構成する場合（請求項１、１４）、第１Ｆ群にも非球面を設けると良く、この場合、第１Ｆ群と第２Ｒ群の非球面は「互いに収差補正の役割を補完し合い、より効果的に作用する」ようにできる。
【手続補正２２】
【補正対象書類名】明細書
【補正対象項目名】００４６
【補正方法】変更
【補正の内容】
【００４６】
条件（１）〜（３）は、無限遠から近距離物体へのフォーカシングを、請求項１０〜１８の撮像光学系のように「第１群を像側へ、第２群を物体側へ移動させる方式」で行なう場合、請求項１〜９の撮像光学系のように「第２群を物体側へ移動させる方式」で行なう場合に共通した条件である。
【手続補正２３】
【補正対象書類名】明細書
【補正対象項目名】００５０
【補正方法】変更
【補正の内容】
【００５０】
請求項１や請求項１４のように、第１群を「第１群の中で最も広い空気間隔を境として、少なくとも２枚の負レンズを有する第１Ｆ群を物体側に、少なくとも１枚の正レンズを有する第１Ｒ群を像側に配して構成」すると、第１群を構成する「第１Ｆ群と第１Ｒ群」の間隔を比較的大きく取ることにより、前述の如く「十分な画角の確保と、球面収差を始めとする各種収差の補正を両立」させることができる。
【手続補正２４】
【補正対象書類名】明細書
【補正対象項目名】００５１
【補正方法】変更
【補正の内容】
【００５１】
また、第１Ｆ群の負の屈折力を「２枚の負レンズを有する」ことにより構成し、特定の面で過大な収差が発生することを防ぐことにより、レンズ系全体として非点収差等をより良好に補正できる。  
さらに、第１Ｆ群の「曲率の大きな像側面」を非球面とすることにより、歪曲収差の補正に大きな効果が得られる他、コマ収差等を補正する役割を持たせることもできる。  
また、請求項６、１５のように、第２群は「正のパワー有する第２Ｆ群と、少なくとも１枚の非球面レンズを有する第２Ｒ群」とにより構成するのがよく、第２Ｒ群に設けた非球面により、主としてコマ収差をより良好に補正できるようになる。
【手続補正２５】
【補正対象書類名】明細書
【補正対象項目名】００５２
【補正方法】変更
【補正の内容】
【００５２】
請求項７のように、「開口絞り」をフォーカシング時に固定することによりフォーカシングに大きな駆動力を必要としなくなる。
【手続補正２６】
【補正対象書類名】明細書
【補正対象項目名】００６５
【補正方法】変更
【補正の内容】
【００６５】
図１６は「携帯情報端末装置」の実施の１形態を説明するための図である。  
図１６（Ａ）は正面側と上部面とを示し、図１６（Ｂ）は背面側を示す。  
携帯情報端末装置は、撮影レンズ１として、上に説明した請求項１〜１８の任意の１に記載の撮像光学系（具体的には後述の実施例１〜５の適宜のもの）を有する。
【手続補正２７】
【補正対象書類名】明細書
【補正対象項目名】０１０８
【補正方法】変更
【補正の内容】
【０１０８】
しかしながら、像面から３００ｍｍの位置にある物体へのフォーカシングに関して、第１・第２群の移動によるフォーカシングの場合も、第２群のみの移動によるフォーカシングの場合も「実用的な立場から見れば略同等」であり、請求項１の「第２群のみの移動によるフォーカシング」も、実用上何ら問題が無いと言える。
【手続補正２８】
【補正対象書類名】明細書
【補正対象項目名】０１０９
【補正方法】変更
【補正の内容】
【０１０９】
そこで、前述の実施例１の場合を基本として、請求項１〜４の撮像光学系の場合の具体的な例を実施例５として以下に挙げる。
【手続補正２９】
【補正対象書類名】明細書
【補正対象項目名】０１１６
【補正方法】変更
【補正の内容】
【０１１６】
表１４において、最も左の欄のＡ〜Ｄは上記可変間隔である。 
「Ｉｎｆ」とあるのは、無限遠物体にフォーカシングしているときの各可変間隔の値を示す。
【手続補正３０】
【補正対象書類名】明細書
【補正対象項目名】０１１８
【補正方法】変更
【補正の内容】
【０１１８】
「ｄ」は、像面から９０ｍｍにある物体に対する「第２Ｆ群と第２Ｒ群の間隔を短縮する第２群のみのフォーカシング（請求項５）」の場合の各可変間隔を示す。
【手続補正３１】
【補正対象書類名】明細書
【補正対象項目名】０１１９
【補正方法】変更
【補正の内容】
【０１１９】
「ｅ」は、像面から９０ｍｍにある物体に対する「第２Ｆ群と第２Ｒ群の間隔を短縮する第２群の移動」と第１群によるフォーカシング（請求項５、１０の組み合わせ）の場合の各可変間隔を示す。
【手続補正３２】
【補正対象書類名】明細書
【補正対象項目名】０１２３
【補正方法】変更
【補正の内容】
【０１２３】
「ｃ」は、請求項１の場合であって、第２群を一体として物体側へ移動させてフォーカシングを行なっている。このときの収差図を図１３（ａ）に示す。  
「ｄ」は、請求項１０、１４の場合であって、第２群の第２Ｆ群と第２Ｒ群との間隔を短縮させつつ、第２群を物体側へ移動させてフォーカシングを行なっている。このときの収差図を図１３（ｂ）に示す。  
上記「ｃ」、「ｄ」何れの場合も、像面の倒れ（非点収差）は若干悪いが、像面から９０ｍｍという近距離物体へのフォーカシングであることを考えれば、実用上の立場からこの程度の性能でも十分である。
【手続補正３３】
【補正対象書類名】特許請求の範囲
【補正対象項目名】全文
【補正方法】変更
【補正の内容】
【特許請求の範囲】
【請求項１】
物体側から順に、正または負のパワーを有する第１群と、開口絞りと、正のパワーを有する第２群を配してなり、
第１群が、前記第１群の中で最も広い空気間隔を境として、少なくとも２枚の負レンズを有する第１Ｆ群と、少なくとも１枚の正レンズを有する第１Ｒ群とにより構成され、
第２群が、物体側から順に、第１正レンズ、第１負レンズ、第２負レンズ、第２正レンズを配した第２Ｆ群と、少なくとも１枚の非球面レンズを有する第２Ｒ群とにより構成されており、
無限遠から近距離物体へのフォーカシング時に、前記第２群が物体側に移動することを特徴とする撮像光学系。
【請求項２】
請求項１記載の撮像光学系において、
第１群の焦点距離：ｆ１、全系の焦点距離：ｆが、条件：
（１）  −０．２＜  ｆ／ｆ１  ＜０．４
を満足することを特徴とする撮像光学系。
【請求項３】
請求項１または２記載の撮像光学系において、
無限遠物体フォーカシング時の開口絞りと第２群の間隔：Ｄ＿Ｓ２、無限遠物体フォーカシング時の第１群と開口絞りの間隔：Ｄ＿１Ｓが、条件：
（２）  ０．３  ＜  Ｄ＿Ｓ２／Ｄ＿１Ｓ  ＜２．０
を満足することを特徴とする撮像光学系。
【請求項４】
請求項１〜３の任意の１に記載の撮像光学系において、
無限遠物体フォーカシング時の第１群と第２群の間隔：Ｄ＿１２、全系の焦点距離：ｆが、条件：  
（３）  ０．５＜  Ｄ＿１２／ｆ  ＜２．５
を満足することを特徴とする撮像光学系。
【請求項５】
請求項１〜４の任意の１に記載の撮像光学系において、
無限遠から近距離物体へのフォーカシングに際して、第２Ｆ群と第２Ｒ群の間隔が短縮することを特徴とする撮像光学系。
【請求項６】
請求項１〜５の任意の１に記載の撮像光学系において、
第２Ｒ群が１枚の非球面レンズで構成されていることを特徴とする撮像光学系。
【請求項７】
請求項１〜６の任意の１に記載の撮像光学系において、
近距離物体へのフォーカシングに際して、開口絞りが固定であることを特徴とする撮像光学系。
【請求項８】
請求項１〜７の任意の１に記載の撮像光学系において、
第１群が正のパワーを持つことを特徴とする撮像光学系。
【請求項９】
請求項１〜７の任意の１に記載の撮像光学系において、
第１群が負のパワーを持つことを特徴とする撮像光学系。
【請求項１０】
物体側から順に、正または負のパワーを有する第１群と、開口絞りと、正のパワーを有する第２群を配してなり、
無限遠から近距離物体へのフォーカシング時に、前記第１群が像側に移動し、前記第２群が物体側に移動することを特徴とする撮像光学系。
【請求項１１】
請求項１０記載の撮像光学系において、
第１群の焦点距離：ｆ１、全系の焦点距離：ｆが、条件：
（１）  −０．２＜  ｆ／ｆ１  ＜０．４
を満足することを特徴とする撮像光学系。
【請求項１２】
請求項１０または１１記載の撮像光学系において、
無限遠物体フォーカシング時の開口絞りと第２群の間隔：Ｄ＿Ｓ２、無限遠物体フォーカシング時の第１群と開口絞りの間隔：Ｄ＿１Ｓが、条件：
（２）  ０．３＜  Ｄ＿Ｓ２／Ｄ＿１Ｓ  ＜２．０
を満足することを特徴とする撮像光学系。
【請求項１３】
請求項１０〜１２の任意の１に記載の撮像光学系において、
無限遠物体フォーカシング時の第１群と第２群の間隔：Ｄ＿１２、全系の焦点距離：ｆが、条件：  
（３）  ０．５＜  Ｄ＿１２／ｆ  ＜２．５
を満足することを特徴とする撮像光学系。
【請求項１４】
請求項１０〜１３の任意の１に記載の撮像光学系において、
第１群を、前記第１群の中で最も広い空気間隔を境として、少なくとも２枚の負レンズを有する第１Ｆ群と、少なくとも１枚の正レンズを有する第１Ｒ群とにより構成したことを特徴とする撮像光学系。
【請求項１５】
請求項１０〜１４の任意の１に記載の撮像光学系において、
第２群を、正のパワーを有する第２Ｆ群と、少なくとも１枚の非球面レンズを有する第２Ｒ群とにより構成したことを特徴とする撮像光学系。
【請求項１６】
請求項１０〜１５の任意の１に記載の撮像光学系において、
近距離物体へのフォーカシングに際して、開口絞りが固定であることを特徴とする撮像光学系。
【請求項１７】
請求項１０〜１６の任意の１に記載の撮像光学系において、
第１群が正のパワーを持つことを特徴とする撮像光学系。
【請求項１８】
請求項１０〜１６の任意の１に記載の撮像光学系において、
第１群が負のパワーを持つことを特徴とする撮像光学系。
【請求項１９】
請求項１〜１８の任意の１に記載の撮像光学系を有するカメラ装置。
【請求項２０】
請求項１９記載のカメラ装置において、
撮影画像をデジタル情報とする機能を有することを特徴とするカメラ装置。
【請求項２１】
請求項２０記載のカメラ装置を撮影機能部として有する携帯情報端末装置。